(57)【要約】本発明は、再密封可能なプレスおよびシール材料を含む閉鎖システムを有する排液可能オストミーパウチである。該材料は、オストミーパウチ出口の開閉を容易にする。コンフォートパネルとパウチ材料との間の空間は、閉鎖システムまたは閉鎖システムの少なくとも一部分を収容し得る。排液可能パウチは、前部の本体側のパネルおよび後部の前部に向かい合うパネルを備え、該複数のパネルは、各パネルの外側周囲に沿って一緒に結合され、出口を有するパウチを形成する。
2010524645.tif 000002
【特許請求の範囲】
【請求項１】
前部の本体側のパネルおよび後部の該前部に向かい合うパネルであって、該複数のパネルは、各パネルの外側周囲に沿って一緒に結合され、出口を有するパウチを形成し、該前部の本体側のパネルは小孔の開口部を通って該パウチの中に老廃物を受け入れる小孔の開口部を含み、該パウチは本体部と本体部から延びる尾部とを含み、該尾部は該出口を有する、パネルを備え、
該尾部は、該出口に近接して位置を決められる該複数のパネルのうちの１つの少なくとも一部分に、自己密封接着剤がコーティングされかつテクスチャ加工された膜を有する閉鎖システムを含み、該膜は、該出口を再密封可能に閉鎖するようにそれ自体に折り畳み可能である、排液可能オストミーパウチ。
【請求項２】
前記膜は、折り畳まれた状態に押圧されたとき膜自体を密封し、折り畳みが広げられたとき、膜自体から離れる、請求項１に記載の排液可能オストミーパウチ。
【請求項３】
前記膜は前記尾部の両側のパネルの外側表面上にある、請求項１に記載の排液可能オストミーパウチ。
【請求項４】
コンフォート層は前記前部の本体側のパネルの少なくとも一部を覆い、該コンフォート層は、該コンフォート層と、前記尾部が前記本体部分から延びる場所に近接する該本体側のパネルとの間にアクセス開口部を残すような態様で、該前部の本体側のパネルに固定され、該アクセス開口部は折り畳まれた状態において該尾部の少なくとも部分を収容する、請求項１に記載の排液可能オストミーパウチ。
【請求項５】
前記前部の本体側のパネルおよび前記前部に向かい合うパネルは各々、コンフォート層によって少なくとも部分的に覆われ、少なくとも１つのコンフォート層は、該コンフォート層と、前記尾部が前記本体部分から延びる場所に近接するパネルとの間にアクセス開口部を残すような態様で、パネルに固定され、該アクセス開口部は折り畳まれた状態において該尾部の少なくとも一部を収容する、請求項１に記載の排液可能オストミーパウチ。
【請求項６】
前記膜は、前記尾部の少なくとも１つのパネルを完全に覆う、請求項１に記載の排液可能オストミーパウチ。
【請求項７】
前記膜は、前記尾部の両方のパネルを完全に覆う、請求項１に記載の排液可能オストミーパウチ。
【請求項８】
前記尾部は、前記出口に近接する各パネル上に補強部材を有する、請求項１に記載の排液可能オストミーパウチ。
【請求項９】
前記膜は、前記補強部材が前記パウチに付着されている位置を除き、前記尾部の両方のパネルを覆う、請求項８に記載の排液可能オストミーパウチ。
【請求項１０】
前部の本体側のパネルおよび後部の該前部に向かい合うパネルであって、該複数のパネルは、各パネルの外側周囲に沿って一緒に結合され、出口を有するパウチを形成し、該前部の本体側のパネルは小孔の開口部を通って該パウチの中に老廃物を受け入れる該小孔の開口部を含み、該パウチは本体部と本体部から延びる尾部とを含み、該尾部は該出口を有する、パネルを備え、
該尾部は閉鎖システムを含み、該出口に近接して位置を決められる該複数のパネルのうちの１つの少なくとも一部分は、テクスチャ加工されかつ自己密封接着剤を有し、該尾部は、該出口を再密封可能に閉じるようにそれ自体に折り畳み可能である、排液可能オストミーパウチ。
【請求項１１】
前記自己密封接着剤およびテクスチャは、コーティング、プリント、および／またはエンボス加工を含むプロセスを用いてパウチ膜上に直接に作られる、請求項１０に記載の排液可能オストミーパウチ。
【発明の詳細な説明】
【技術分野】
【０００１】
（発明の背景）
本発明は、一時的または永続的なオストミー開口部から老廃物を回収するための排液可能オストミーパウチに関し、より詳細には排液可能オストミーパウチ用閉鎖システムに関する。
【背景技術】
【０００２】
本発明は、排液可能パウチがそれをオストメイトの体に取り付けるアタッチメントパッドまたはウェーハと一体化したワンピースオストミー装置に適用可能であり、排液可能パウチをオストメイトに固定するパッドまたはウェーハが、排液可能パウチから分離され、排液可能パウチに解放可能に取り付け可能であるツーピースオストミー装置と共に適用可能である。
【０００３】
排液可能パウチは出口を含み、該出口を通ってパウチの内容物が排出され、それによってパウチが再使用可能となる。
【０００４】
一部の排液パウチは、出口の断面形状を制御する１つ以上の補強部材を有する。補強部材は、排液出口を開くために用いられ得る。出口の反対側に位置を決められる補強部材の反対側エッジを手で絞ることによって、補強部材は開口部を大きくするように変形され得る。これらの補強部材を使用することは、例えば、特許文献１、ＧＢ２３４６３２８、特許文献２、特許文献３、特許文献４、および特許文献５に説明されている。
【０００５】
排液可能パウチは、本体部と、尾部とを有する。尾部は、本体部から延び、先細りしている。尾部は再閉鎖可能な出口を含み、該出口を通ってパウチの中身が典型的にはトイレに排液し得る。
【０００６】
排液可能パウチにおける大きな懸念は、出口に対する閉鎖システムまたは締結システムである。そのような閉鎖システムは、排液パウチ出口が閉じられるときパウチ出口の尾部にあるパウチ材料を締めつけて閉じ、排液パウチ出口が開かれるとき締めつけが外されるように、取り外し可能に位置を決められる閉鎖クリップなどの別個のファスナを含み得る。別のタイプのファスナはパウチに永続的に携帯する一体化ファスナである。典型的な一体化ファスナは、フックおよびループファスナまたはきのこ型先端突起部を有するファスナなどの機械的係合を用いる。
【０００７】
これらのタイプのファスナの各々に関して生じる懸念がある。例えば、クリップファスナは、比較的堅く、一部の人はそれらの着用を不快に思う。クリップはまた、排液可能パウチを用いるときオストメイトが操作しそして動作させることが必要な、追加の典型的には別個の品目である。パウチ材料を意図的ではなく開いたりまたはパウチ材料を切ったりして漏れを引き起こすようなことをしないで、漏れを防ぐように膜を一緒に適切に締めつけるクリップを備えつけることはすべて、クリップのさらなる懸念である。
【０００８】
フックおよびループタイプのファスナは、きれいに拭くことが困難であり、典型的には液体を吸収する繊維タイプの基部を有し、濡れたとき乾かすのが困難である。
【０００９】
きのこ突起部タイプのファスナは、突起部を支える細片のあるパウチに適切な配置を必要とするので、排液可能なパウチの製造をより困難にする。またこれらの突起部による排液可能なパウチを閉じる適切な方法および設計の複雑性は、容易に直感的ではない。
【００１０】
さらにフックおよびループファスナおよび突起部タイプのファスナは、典型的には堅固な裏張りに取り付けられる。裏打ちと重なりあう材料とのこの組み合わせは、比較的堅い構成要素をもたらす。生ずる懸念は、手先の器用さが必要であること、比較的堅いパネルから起こり得る不快さ、および／またはパネルのエッジによる膜の引き裂きを含む。
【先行技術文献】
【特許文献】
【００１１】
【特許文献１】欧州特許出願公開第１３７８２１８号明細書
【特許文献２】米国特許第３，８２５，００５号明細書
【特許文献３】米国特許第２，８７５，４５１号明細書
【特許文献４】米国特許第５，７４５，９２６号明細書
【特許文献５】米国特許第３，７２４，４６１号明細書
【発明の概要】
【発明が解決しようとする課題】
【００１２】
従って本発明の目的は、軽量であり、操作が容易であり、尾部と一体化しており、漏洩しない、やわらかく柔軟性があり、容易に再使用可能であり、そして直感的である閉鎖システムを提供することを含む。
【課題を解決するための手段】
【００１３】
（発明の概要）
本発明は、一体化した閉鎖システムを有する排液可能なオストミーパウチである。この排液可能なオストミーパウチは、２つのパネルと、前部の本体側のパネルと、後部の前部に向かい合うパネルとを含む。パウチが着用されたとき、本体側のパネルはオストメイトに面する。２つのパネルは、出口を有するパウチを形成するような方法で、各パネルの外側周囲に沿って結合される。本体側のパネルには小孔の開口部がある。小孔開口部は、オストメイトの小穴からの老廃物を受ける。老廃物は、小孔開口部を通過してパウチの中に入る。パウチは、本体部と、本体部から延びる先細の尾部とを有する。排液可能パウチの出口は、その尾部にある。排液可能パウチは、その中身がこの出口を通って典型的にはトイレの中に排液される。
【００１４】
本発明の尾部は、尾部を構成する２つのパネルのうちの少なくとも１つの上に膜を有する閉鎖システムを含む。膜は、膜の複数の部分が一緒に押圧されたとき、自己密封と呼ばれるそれ自体に対して接着するように密封することが可能な薄膜である。密封された膜は、離れるようにむかれ、容易に再密封され得る。密封された膜は、濡れたときでも機能する。好ましい薄膜は、Ｐｒｏｃｔｅｒ  ａｎｄ  Ｇａｍｂｌｅ  Ｃｏｍｐａｎｙによって開発され、自己密封する向かい合う材料が互いをグリップするのを助ける感圧性接着剤を利用する自己密封の接着剤がコーティングされかつテクスチャ加工された（ＳＳＡＴ）膜である。ＳＳＡＴ膜はまた、多数の隆起および凹みによって覆われる。このＳＳＡＴ膜の表面は、用いられた接着剤および多くの山部の相補的な谷部への適合の結果、それ自体に接着しそして部分的に一致する。適切な接着剤および表面地形を有する他の膜がうまく機能することは可能であるが、食品包装のための再閉鎖可能なシステムとして、Ｐｒｏｃｔｅｒ  ａｎｄ  Ｇａｍｂｌｅ  Ｃｏｍｐａｎｙによって開発され、Ｔｈｅ  Ｇｌａｄ  Ｐｒｏｄｕｃｔ  Ｃｏｍｐａｎｙによって販売されている、プレスおよびシール技術が特にうまく動作することがわかった。
【００１５】
Ｐｒｏｃｔｏｒ  ａｎｄ  Ｇａｍｂｌｅ技術に関する特許は、米国特許第５，６６２，７５８号と、第５，８７１，６０７号と、第５，９６５，２３５号と、第６，１９３，９１８号と、第６，４２１，０５２号と、第６，４８９，０２２号とを含む。
【００１６】
ＳＳＡＴ膜は、出口に近接する位置を有する。尾部のＳＳＡＴ膜は、ＳＳＡＴ膜が圧されそしてそれ自体に密封されるとき、出口を閉じるようにそれ自体に折り畳み可能であるかまたは丸め可能である。密封されたＳＳＡＴ膜は、再開放され得、出口の開放を可能にし得る。従って排液可能パウチの出口は閉じられ得、パウチは、小孔開口部を通って老廃物を受け、それをパウチ内に集め得る。閉鎖システムは開かれ得、パウチは排液され、出口は再び閉じられ得る。従ってこのようにして、排液可能パウチは再使用されることが可能であり得る。
【００１７】
ＳＳＡＴ膜は、好ましくは尾部の両方のパネル上にある。ＳＳＡＴ膜は尾部の両方の部分を完全に覆うことが好ましいが、尾部の全体より少ない部分を覆うパネル上のＳＳＡＴ膜の細片もまた用いられ得る。本発明に従って、閉鎖材料の細片は、好ましくは排液可能パウチの出口の向かい合う両側に結合される。好ましくは、細片の幅および長さは、尾部のそれらに近似する。但し細片は、長さおよび／または幅がより小さくなり得、閉鎖システムとしてなおも機能し得る。尾部の１つのパネル上にＳＳＡＴ膜を有するようにして、閉鎖システムが機能するようにすることは可能であるが、両方のパネルにＳＳＡＴ膜を有することが好ましい。
【００１８】
細片は尾部パネル上に薄層にされる。これは典型的には接着剤を用いるかまたは溶接によってなされ、溶接が付着の好ましい方法である。材料は、非常に良く溶接され、良好な比較的平らな表面を提供する。
【００１９】
ＳＳＡＴ特徴は、スタンドアロンのＳＳＡＴ膜の可能性の他に、オプションで一般的に用いられているパウチ膜の表面に作られ得る。例えば、オストミー膜（すなわち、ＥＶＡ／ＥＶＡ／ＰＶｄＣ／ＥＶＡ／ＥＶＡ）は、テクスチャ加工された形態において自己密封接着剤でコーティングされ得る。膜表面にＳＳＡＴ特徴を作り得る他のプロセスは、プリントおよびエンボス加工を含む。
【００２０】
好ましいＳＳＡＴ膜材料は、１つの側面のみにおいて、接着剤が塗布されテクスチャ加工された表面を有し、該側面は、尾部のパネルの両方から外側に面した側面である。
【００２１】
先行技術はこの膜技術を検討するが、このＳＳＡＴ材料または類似の特性を有する材料の細片を薄層にする先行技術において、出口の繰返し可能な開放および閉鎖を可能にするような、排液可能パウチの尾部上の向かい合う膜パネルに対する提案または教示はない。
【００２２】
排液可能パウチは、本体側パネルの少なくとも部分を覆うコンフォート層を有するかまたは、本体側パネルおよび後部のそれに向かい合うパネルの両方を覆う２つのコンフォートパネルがあり得る。コンフォートパネルは、排液可能パウチにおいて周知である。
【００２３】
本発明の排液可能パウチにおいて、コンフォート層は、コンフォート層とコンフォート層が覆うパネルとの間にアクセス開口部を残すように、本体側パネルおよび／または後部のそれに向かい合うパネルに密封される。アクセス開口部は、好ましくは尾部の長手方向軸に垂直であり、尾部が排液可能パウチの本体部分から延びる場所に近接する。出口が閉じられたとき行われる、尾部が折り畳まれるかまたは丸められるとき、アクセス開口部は尾部の部分を収容する。
【００２４】
パウチは、パウチの本体を覆う1つ以上のコンフォートパネルを含み得る。排液可能パウチの尾部のすぐ上のコンフォートパネルの基部は、パウチ膜とコンフォートパネルとの間の空間へのアクセスを提供するために開いたままであり得る。アクセス開口部の幅は、好ましくは少なくともパウチの尾部の幅である。
【００２５】
尾部が折り畳まれるかまたは丸められた後に、尾部は、アクセス開口部を通って挿入され、コンフォートパネルとパウチ材料との間の空間に押し込まれる。アクセス開口部の大きさは、巻き上げられた尾部を収容しそして保持する幅である。あるいは、ＳＳＡＴ膜は、尾部からコンフォートパネルの下のパウチの本体に延び得る。コンフォートパネルは、丸められた尾部によって、空間またはポケットにアクセスが可能になるように持ち上げられ得る。
【００２６】
丸められた尾部がコンフォートパネルとパウチ材料との間に保持されると、丸められた尾部は意図していない巻き戻し（ｕｎｒｏｌｌｉｎｇ）から保護される。また、丸められた部分の外側の輪郭は、コンフォートパネルカバーによって柔らかくされる。
【００２７】
パウチが排液されるとき、丸められた尾部は、ポケットから外され、折り畳みが開かれる。排液後またはいつでも、プレスおよびシール材料の表面は、比較的容易に洗われ得る。濡れているときでさえ、プレスおよびシール表面は、折り畳まれるかまたは丸められるときに、尾部の適切な閉鎖を可能にする。
【００２８】
排液可能なパウチは、１つの補強部材が尾部の各々のパネルにあり、出口開口部に近接する尾部に補強部材を有し得る。補強部材は排液可能パウチにおいて周知であり、補強部材の向かい合う端部が互いの方に横に押されるとき、出口の開放を容易にすることを助ける。補強部材はプレスおよびシール膜の上部に位置を決められ得るか、またはプレスおよびシール膜は、尾部に位置を決められ得るが、補強部材が尾部に位置を決められる場所には位置を決められない場合がある。
【００２９】
オストメイトが尾部を巻き上げ、尾部の材料がそれ自体にくっつき（粘着し）、それ自体（山部および谷部）にかみ合うので、ＳＳＡＴ膜は、それが巻き上げられるとき、出口を密封する。パウチパネルの膜および尾部のＳＳＡＴ膜は、それらが巻き上げられたとき、各々薄くかつ柔らかいので、その結果生じるロールは比較的柔らかくかつ薄い。排液可能パウチは、折り畳みまたは巻き上げのためのガイドまたはテンプレートとして働き得る巻き上げの一部として補強部材を含み得る。
【００３０】
尾部は、それが尾部の端部などの指定されたレベルに達するまで、折り畳まれ得るかまたは丸められ得る。
【００３１】
ＳＳＡＴ膜は、重なり合う構成要素およびループ構成要素を取り付けるために必要とするプロセスを回避する。プレスおよびシール材料は、パウチ膜の上にプリントされたロールで提供され得、プレスおよびシール材料が尾部の上に薄層にされた尾部を有する排液パウチへの処理を容易にし得る
【図面の簡単な説明】
【００３２】
【図１】図１は、排液可能パウチの本体側の概略的な平面図である。
【図２】図２は、図１の排液可能パウチの概略的な側面図である。
【発明を実施するための形態】
【００３３】
（発明の詳細な説明）
図１および図２を参照すると、本発明に従う排液可能パウチが、概して数字１０によって示される。このパウチ１０は、本体側のパウチパネル１２と、反対側のパネル１４とを有する。これらのパネルの各々は、エチレン酢酸ビニルコポリマー（ＥＶＡ）およびポリ塩化ビニリデン（ＰＶＤＣ）の層を含む多重層膜などの、オストミーパウチのために典型的に用いられる膜材料から構成される。
【００３４】
本体側パウチパネル１２は、小孔の開口部１６を有し、小孔の開口部１６を囲む機械的連結構造１８を有するように示される。あるいは、連結部は、接着連結システムにおいて用いられるものであり得る。連結部１８は、本体側ウェーハのかみ合い連結部に固定されることが可能である。あるいは、パウチが機械的連結部１８の代わりに接着ウェーハを有し、着用者の皮膚に直接に付着することが可能である。この目的のために一般的に親水コロイド接着剤が用いられる。
【００３５】
排液可能オストミーパウチ１０は、本体部２０と、尾部２２とを含む。尾部２２は、本体側パウチパネル１２および反対側のパネル１４の尾部２２の端部２８において補強部材２６を有するように示される。
【００３６】
尾部２２は、その外側表面に薄膜３０を有する。この薄膜は、それ自体が押圧されたとき自己密封することが可能である。該薄膜は、離れるようにむかれるかまたは結合を外され、そして再び一緒に押圧されると再密封されることが可能である。該薄膜は、望ましい接着特性を失うことなく、濡らされそして乾かされ得る。該薄膜は、好ましい膜である特定のタイプのプレスおよびシール膜と呼ばれ得る。好ましい薄膜３０は、接着剤によってテクスチャ加工され、塗布される。テクスチャは山部と谷部を含み、このことは膜のそれ自体の密封を促進する。好ましいタイプの膜は、食品容器を密封するために、Ｐｒｏｃｔｅｒ  ａｎｄ  Ｇａｍｂｌｅ  Ｃｏｍｐａｎｙによって開発され、Ｔｈｅ  Ｇｌａｄ  Ｐｒｏｄｕｃｔ  Ｃｏｍｐａｎｙによって一般に販売されている。Ｐｒｏｃｔｏｒ  ａｎｄ  Ｇａｍｂｌｅによる膜は、本明細書に参考として援用される米国特許第５，６６２，７５８号、第５，８７１，６０７号、第５，９６５，２３５号、第６，１９３，９１８号、第６，４２１，０５２号、および第６，４８９，０２２号に説明されそして検討されている。この好ましい膜は、本明細書において場合によってＳＳＡＴ膜と呼ばれる。
【００３７】
薄膜３０は、本体側パウチパネル１２および反対側のパネル１４の両方の外側表面に付けられる。薄膜３０は、補強部材２６が固定される位置を除き、尾部２２の全表面を覆う。
【００３８】
補強部材は、尾部２２が折り畳まれるかまたは丸められるときには、テンプレートまたはガイドとして用いられ得る。
【００３９】
パウチ１０の本体部２０は、本体側のパウチパネルおよびそれに向かい合う後部側のパネルの外側表面を覆うコンフォートパネル（ｃｏｍｆｏｒｔ  ｐａｎｅｌ）４０を有する。コンフォートパネル４０は、その周囲４２に沿ってパネル１２、１４に溶接される。本体側パウチパネル１２上のコンフォートパネル４０は、着用者の皮膚に置かれており、オストメイト（ｏｓｔｏｍａｔｅ）にとってパウチパネル膜より快適である材料から構成される。コンフォートパネル４０は、空気循環を可能にする穴あけを含み得、発汗に起因するオストメイトに対してねばつきの可能性を減少させるような材料から構成され得る。
【００４０】
コンフォートパネル４０は、本体側パウチ膜３０に溶接されたり固定されたりしない基部４６を有する。従って、コンフォートパネル４０と本体部２０との間に形成されるポケットへのアクセスがある。ポケットは、コンフォートパネル４０が周囲４２に沿ってパウチ膜３０に溶接されるが、基部４６に沿っては溶接されないために、存在する。
【００４１】
尾部２２の１つのパネル上のみに材料を有することによって、かつ／または、尾部２２の全体の面積を覆わない薄膜３０の細片を用いることによって、尾部２２で薄膜３０を閉鎖システムとして利用することもまた可能である。
【図１】
2010524645.tif 000003
【図２】
2010524645.tif 000004
【国際調査報告】
2010524645.tif 000005